(57)【特許請求の範囲】
【請求項１】
床上空間（Ｃｕ）と床下空間（Ｃｄ）とを仕切る床（Ｆｒ）に、開口部（２）を開設し、この開口部（２）に、ハッチプレート（１８）を開閉可能に設けたハッチユニット（Ｈｕ）を取付けてなる、建物におけるハッチ構造において、
前記ハッチユニット（Ｈｕ）の外枠（１７ｂ）に、縁枠（１０）を着脱可能に取付け、この縁枠（１０）を、前記床（Ｆｒ）の開口部（２）周縁に形成した位置調整用の空間（Ｓｐ）を有する取付面（８）上に、前後、左右に位置調整して取付け、前記床（Ｆｒ）、縁枠（１０）およびハッチプレート（１８）の下地材（５，１１，１８ａ）上に、それぞれフローリング板などの仕上げ板（６，１８ｂ）を敷設したことを特徴とする、建物におけるハッチ構造。
【請求項２】
ハッチユニット（Ｈｕ）は、前記開口部（２）の周縁に取付けた前記縁枠（１０）から分離して、該開口部（２）から取り外せるようにしたことを特徴とする、前記請求項１記載の、建物におけるハッチ構造。
【発明の詳細な説明】
【０００１】
【発明の属する技術分野】
本発明は、床上空間と床下空間とを仕切る床に開設した開口部に、ハッチプレートを開閉可能に設けてなる、建物におけるハッチ構造に関するものである。
【０００２】
【従来の技術】
従来集合住宅等の建物において、床上空間と床下空間とを仕切る床に、開口部を開口し、この開口部を、ハッチプレートにより開閉できるようにして、床下空間を物入れとして利用できるようにしたものは公知である。
【０００３】
【発明が解決しようとする課題】
ところで、床の仕上板が、木質のフローリング板のように、複数枚の細長い化粧単板を合せ接合して形成したものでは、ハッチプレート側のフローリング板の合せ目と、床側のフローリング板の合せ目との目合せをする作業が極めて難しく、外観上の見栄えを悪くして床全体の商品価値を著しく低下させ、事実上実用に供し得ないという問題があり、また、かかる商品価値の低下を補償すべく、ハッチプレートの外周縁を、アルミなどの化粧金属材により縁取りする手段が試みられているが、このようにすると、床板と、ハッチプレートとの間に段差が生じてしまい、床面の平滑化が得られないという別の問題がある。
【０００４】
本発明はかかる実情に鑑みてなされたもので、ハッチプレート側のフローリング板などの仕上板の合せ目と、床側のフローリング板などの仕上板の合せ目とを精度よく合わせることができるように、開口部に対するハッチユニットの位置を前後、左右に調整できるようにして、前記問題を解決できるようにした、新規な建物におけるハッチ構造を提供することを目的とするものである。
【０００５】
【課題を解決するための手段】
前記目的を達成するために、本請求項１記載の発明は、床上空間と床下空間とを仕切る床に、開口部を開設し、この開口部に、ハッチプレートを開閉可能に設けたハッチユニットを取付けてなる、建物におけるハッチ構造において、
前記ハッチユニットの外枠に、縁枠を着脱可能に取付け、この縁枠を、前記床の開口部周縁に形成した位置調整用の空間を有する取付面上に、前後、左右に位置調整して取付け、前記床、縁枠およびハッチプレートの下地材上に、それぞれフローリング板などの仕上げ板を敷設したことを特徴としており、かかる特徴によれば、開口部を開口した床の仕上板と、前記開口部を開閉するハッチプレートの仕上板との目合わせや模様合わせを精度良く行うことができ、床全体の外観上の美観を向上させ、その商品価値を高めることができる。
【０００６】
また、前記目的を達成するために、本請求項２記載の発明は、前記請求項１記載のものにおいて、ハッチユニットは、前記開口部の周縁に取付けた前記縁枠から分離して、該開口部から取り外せるようにしたことを特徴としており、かかる特徴によれば、前記効果に加えて、ハッチユニットの外枠などの部品の取替え、メンテナンスが容易になる。
【０００７】
【発明の実施の形態】
以下、本発明の実施の形態を、添付図面に示した本発明の実施例に基づいて説明する。
【０００８】
まず、図１〜６を参照して、本発明の第１実施例について説明する。
【０００９】
図１は、本発明ハッチ構造を備えた建物の一部の横断面図、図２は、図１の２−２線に沿う断面図、図３は、図２の３矢視の仮想線囲い部分の拡大図、図４は、図３の４−４線に沿う一部破断平面図、図５は、図４の５−５線に沿う拡大断面図、図６は、ハッチユニットの、床の開口部への取付過程を示す作用図である。
【００１０】
図１，２において、集合住宅等の建物の骨格を構成する躯体Ｆは、水平方向に延びて建物を上下複数の階層に区画する水平躯体部分Ｆｈと、鉛直方向に延びて隣接する水平躯体部分Ｆｈ間を相互に連結する鉛直躯体部分Ｆｖとを備えており、水平躯体部分Ｆｈは、スラブＳの上面に複数の逆梁Ｒｂを上向きに一体に突設した、所謂逆梁構造に構成されている。建物の各階層は、逆梁Ｒｂにより複数の居住空間１に区画され、それらの居住空間１には選択的に本発明に従うハッチ構造が構築される。
【００１１】
以下に、ハッチ構造を備えた居住空間１の構造について説明するに、この居住空間１は、床Ｆｒにより、居室として利用される床上空間Ｃｕと、物品収納室として利用される床下空間Ｃｄとに仕切られている。物品収納室として機能する床下空間Ｃｄは、その四方を逆梁Ｒｂにより囲まれて、その全域が仕切りのない一つの広い室として構成される。
【００１２】
図１に示すように、床Ｆｒの中間部には長方形の開口部２が開口され、この開口部２を通して人が床下空間Ｃｄに入り、物の出入れをすることができる。また開口部２には、ハッチユニットＨｕが設けられ、このハッチユニットＨｕは、ハッチ枠１７にハッチプレート１８が開閉可能に設けられる。
【００１３】
前記床Ｆｒは、逆梁Ｒｂ上に防振ゴムを介して支持される複数の大引ビーム３と、それらの上に直交して載設される複数の根太４と、その根太４上に敷設固定される下地材５と、その下地材５上に敷設固定される仕上板、すなわちフローリング板６とより構成されている。フローリング板６は、従来公知のもので、帯状の複数の化粧単板を一平面状に継ぎあわせてなる複数枚のフローリングモジュール６ａを居室の床面積の大きさに接合して構成される。
【００１４】
前記床Ｆｒを支持するのに、スラブＳ上には、従来のような束が一切立てられておらず、その床Ｆｒに伝わる騒音が直接スラブＳを通して階下に伝わることがないようになっている。
【００１５】
図３に明瞭に示すように、前記長方形の開口部２の四方の開口周縁部の下方には、その開口周縁部に沿って、２本の大引ビーム３を複列結合させた複列大引ビーム３ｄが配設されており、この複列大引ビーム３ｄ上には、木製の根太４が載設され、それらの根太４上に木製の下地材５が釘９により積層固定される。前記下地材５の端縁は、根太４の端縁よりも後退していて、根太４の端部上には、後に述べるハッチユニットＨｕの位置調整空間、すなわち「逃がし」Ｓｐを形成するための、段差面よりなる取付面８が形成されている。そして、この取付面８に、後に述べるように、ハッチユニットＨｕの外周縁に取外し可能に固定される縁枠１０の下地材１１が位置調整可能に釘止めされる。前記縁枠１０は、開口部２の内周縁を縁取りするように設けられる断面長方形上の木製の補強枠１２と、その上に外側に張り出すように固定される同じく木製の前記下地材１１とを金属製のアングル材１３に釘１６により固定して構成されており、この縁枠１０の下地材１１がアングル材１３と共に根太４上の前記取付面８に釘１４により位置調節可能に固定される。そして、床Ｆｒ側の下地材５と縁枠１０側の下地材１１上に跨がって仕上板すなわちフローリング板６が敷設固定され、前記縁枠１０は、開口部２の内周縁を縁取りする。
【００１６】
一方、前記開口部２に設けられるハッチユニットＨｕは、方形状のハッチ枠１７の開口凹部にハッチプレート１８を後述するリンク開閉機構Ｌｉを以て開閉可能に連結して構成されており、前記ハッチ枠１７は、ハッチ枠本体１７ａの内周面に外枠１７ｂを一体に接合して構成されている。
【００１７】
ハッチプレート１８はベニヤ板などの集合材よりなる下地材１８ａ上に、フローリング板１８ｂを接合し、それらの外縁を断面コ字状の縁取枠１８ｃにより縁取りして構成される。しかして、このハッチ枠１７の外面には、図３に示すように、前記縁枠１０が釘１９、２１により着脱可能に取付けられる。
【００１８】
図５に示すように、ハッチユニットＨｕの、ハッチ枠１７と、ハッチプレート１８間には、このハッチプレート１８を開閉する一対のリンク開閉機構Ｌｉと、ガススプリングＧｓとが設けられる。前記一対のリンク開閉機構Ｌｉは、ハッチプレート１８の最大開き角度が９０°以上（この実施例では９５°）になるように、ハッチプレート１８と、ハッチ枠１７との間に連結されている。一対のリンク開閉機構Ｌｉは、ハッチ枠１７に内面の固定される基板２４に、第１リンク２５および第２リンク２６の基端が上下に間隔をあけて上下方向に回動自在に軸支され、一方、ハッチプレート１８裏面に固定される他の基板３０にはその横方向に間隔をあけて第３、第４リンク２７，２８がそれぞれ上下方向に回動自在に軸支されており、第１、第２リンク２５，２６の自由端と第３、第４リンク２７，２８の自由端同志は、それぞれ回転自在にピン連結３１，３２されている。第２リンク２６と、第３リンク２７との中間部とはピン連結３３され、この連結３３部と、前記第１リンク２５の基端側連結部との間には、引張バネ３４が張架され、この引張バネ３４の弾発力は、リンク開閉機構Ｌｉを介してハッチプレート１８を最大開き角度に弾発保持して、そのハッチプレート１８がその開き位置でガタ付かないようにしている。
【００１９】
図５実線に示すように、ハッチプレート１８が閉じ位置すなわち開口部２を閉じているとき、リンク開閉機構Ｌｉは、折り畳み位置にあり、引張バネ３４で弾発保持される。そして、ハッチプレート１８が開き始めると、第１〜第４リンク２５〜２８は起立回動し、ハッチプレート１８が全開（全開角度約９５°）すると、各リンク２５〜２８は、伸長してその位置を引張バネ３４により弾発保持する。ハッチプレート１８は、全開位置に安定して保持され、振動や外乱でガタ付くことがない。
【００２０】
なお、前記開閉リンク機構Ｌｉは、本発明の要旨ではないので、その詳細な説明を省略する。
【００２１】
また、図５に示すように、ハッチ枠１７の内面と、ハッチプレート１８の裏面間には、前記リンク開閉機構Ｌｉに近づけて、一対のガススプリングＧｓの両端が連結されている。このガススプリングＧｓは、従来公知のもので、ハッチプレート１８の開放を助勢できるようにしたものであり、ハッチプレート１８が開口部２を閉じているとき、収縮状態にある。
【００２２】
つぎに、主に図６を参照してハッチユニットＨｕを開口部２に取り付ける手順について説明する。
【００２３】
▲１▼ハッチユニットのセット工程〔図６（ａ）参照〕
まず、フローリング板１８ｂの接合されていないハッチユニットＨｕの外周面に、前記縁枠１０を釘１９、２１により釘止めしてから、それを開口部２に装入してセットする。
【００２４】
▲２▼ハッチユニットの位置調整工程〔図６（ｂ）参照〕
このセット状態では、縁枠１０の外方に張り出している下地材１１を、床Ｆｒ側の根太４上の段差面よりなる取付面８上に載置する。このとき、縁枠１０に下地材１１と、床Ｆｒ側の下地材５との間には、位置調整用の空間Ｓｐすなわち「逃がし」が形成されるため、ハッチユニットＨｕは、開口部２に対して前後、左右方向に、そのセット位置を自由に調整することができる。
【００２５】
▲３▼ハッチユニットの設置完了およびフローリング板の接合工程〔図６（ｃ）参照〕
ハッチユニットＨｕを、開口部２に対して位置調整して、該ハッチユニットＨｕのセット位置を定めたら、ハッチユニットＨｕに固定されている縁枠１０を、床Ｆｒ側の根太４上に釘１４により釘止めし、床Ｆｒの下地材５および縁枠１０の下地材１１とハッチユニットＨｕの下地材１８ａ上に、フローリング板６、１８ｂを敷設接合する。このとき、前記位置調整をしたことにより、図１に示すように、ハッチユニットＨｕ側のフローリング板１８ｂと、床Ｆｒ側のフローリング板６との合わせ目を、精度良く目合わせすることができ、しかもハッチユニットＨｕのフローリング板１８ｂの上面と、床Ｆｒ側のフローリング板６の上面とを同一面に調整することができる。
【００２６】
ところで、この工程を終了した状態で、開口部２にはハッチユニットＨｕが正規の位置に開閉可能に取り付けられて、該開口部２は、図３に示すように、ハッチユニットＨｕのハッチプレート１８により開閉される。そして、ハッチプレート１８により、開口部２を閉じた状態では、ハッチプレート１８側のフローリング板１８ｂと、床Ｆｒ側のフローリング板６の合わせ目とを一致させることができると共にそれらのフローリング板６，１８ｂとを一平面に一致させることができハッチプレート１８を備えた床面の外観上の体裁を整えて、その商品価値を大幅に向上させることができ、さらに床面に段差が形成されず、バリアフリーの床面とすることができる。
【００２７】
▲４▼ハッチユニット取外し工程〔図６（ｄ）参照〕
ハッチユニットＨｕに固定されている縁枠１０は、釘２１を抜くことにより、該ハッチユニットＨｕから分離することができ、ハッチユニットＨｕを単体として、開口部２より取り外すことができ、ハッチユニットＨｕの縁取枠１８ｃの取替えなど、そのメンテナンスを簡単に行うことができる。
【００２８】
この実施例では、縁枠１０には、木製の補強枠１２が固定されているので、図３に鎖線で示すように、フローリング板６に上面から補強枠１２に向けて釘３５を打込むことができ、該フローリング板６のめくれを防止することができる。
【００２９】
つぎに、図７，８を参照して本発明の第２実施例について説明する。
【００３０】
図７は、前記第１実施例の図３と同じハッチ構造の断面図、図８は、ハッチユニットの、床の開口部への取付過程を示す作用図であり、図中、前記第１実施例と同じ要素には同じ符号が付される。
【００３１】
この第２実施例は、開口部２の開口縁を縁取りする縁枠１０の構造が相違しており、具体的には、前記第１実施例の木製補強枠１２が除かれており、縁枠１０は、金属製のアングル材１３の上面に下地材１１を固定して構成され、アングル材１３の鉛直な側面に、ハッチ枠１７の外枠１７ｂが直接釘止めされている。
【００３２】
この第２実施例において、ハッチユニットＨｕを開口部２に取り付ける手順は、前記第１実施例と同じく、図８（ａ）〜（ｃ）に示すように、ハッチユニットセット工程、ハッチユニット位置調整工程およびハッチユニット設置完了工程およびフローリング板接合工程を経て行われるが、その際に、ハッチユニットＨｕの外枠１７ｂに直接釘止めされた縁枠１０のアングル材１３が、床Ｆｒの根太４上の段差部８に位置調整可能に釘止めされる。そして、床Ｆｒの下地材５および縁枠１０の下地材１１とハッチユニットＨｕの下地材１８ａ上に、フローリング板６，１８ｂを敷設接合し、前記第１実施例と同じく図１に示すように、ハッチユニットＨｕ側のフローリング板１８ｂと、床Ｆｒ側のフローリング板６との合わせ目を一致させることができ、しかもハッチユニットＨｕのフローリング板１８ｂの上面と、床Ｆｒ側のフローリング板６の上面とを同一面に調整することができる。
【００３３】
また、図８（ｄ）に示すように、ハッチユニット取外し工程を経て、開口部２からハッチユニットＨｕを取り外すことができ、その際、ハッチユニットＨｕの外枠１７ｂは、縁枠１０のアングル材１３から分離され、縁枠１０は床Ｆｒ側に残されるので、前記第１実施例と同じく、ハッチユニットＨｕの部品交換、メンテナンスを容易に行うことができる。
【００３４】
以上のように、この第２実施例のものも前記第１実施例と同じ作用効果を奏する。
【００３５】
つぎに、図９を参照して本発明の第３実施例について説明する。
【００３６】
図９は、ハッチ構造の断面図であり、図中、前記第２実施例と同じ要素には同じ符号が付される。
【００３７】
この第３実施例は、前記第２実施例のものにおいて、床Ｆｒの支持構造を置き床構造としたものであり、スラブＳ上には、防振ゴム４０を介して複数本の束４１が立てられ、これらの束４１上にはベースパネル４２が敷設固定され、このベースパネル４２上に、下地材４３およびフローリング板６が積層される。ベースパネル４２上の位置調整用の段差部８には、ハッチユニットＨｕの外枠１７ｂに釘止めされる縁枠１０が、左右および前後位置を調整して釘止めされる。
【００３８】
そして、前記第１、２実施例と同じく、床ＦｒおよびハッチユニットＨｕ上には、目合わせをしてフローリング板６，１８ｂを敷設することができ、第１，２実施例と同じ作用効果を奏する。
【００３９】
以上、本発明の実施例について説明したが、本発明はその実施例に限定されることなく、本発明の範囲内で種々の実施例が可能である。
【００４０】
たとえば、前記実施例では、本発明を、逆梁構造の躯体を備えた集合住宅に実施した場合を説明したが、これを戸建住宅などの他の建物にも実施できることは勿論である。また前記実施例のフローリング板に代えて他の仕上板を用いてもよい。
【００４１】
【発明の効果】
以上のように、本請求項１記載の発明によれば、床上空間と床下空間とを仕切る床に、開口部を開設し、この開口部にハッチプレートを開閉可能に設けたハッチユニットを取付けてなる、建物におけるハッチ構造において、開口部を開口した床の仕上板と、前記開口部を開閉するハッチプレートの仕上板との目合わせや模様合わせを精度良く行うことができ、床全体の外観上の美観を向上させ、その商品価値を高めることができる。
【００４２】
また、本請求項２記載の発明によれば、前記効果に加えて、ハッチユニットの外枠などの部品の取替え、メンテナンスが容易になる。
【図面の簡単な説明】
【図１】本発明ハッチ構造を備えた建物の一部の横断面図（第１実施例）
【図２】図１の２−２線に沿う断面図
【図３】図２の３矢視の仮想線囲い部分の拡大図
【図４】図３の４−４線に沿う一部破断平面図
【図５】図４の５−５線に沿う拡大断面図
【図６】ハッチユニットの、床の開口部への取付過程を示す作用図
【図７】図３と同じハッチ構造の断面図（第２実施例）
【図８】ハッチユニットの床の開口部への取付過程を示す作用図（第２実施例）
【図９】ハッチ構造の断面図（第３実施例）
【符号の説明】
２          開口部
５          下地材
６          仕上板（フローリング板）
８          取付面（段差面）
１０        縁枠
１１        下地材
１７ｂ      外枠
１８        ハッチプレート
１８ａ      下地材
１８ｂ      仕上板（フローリング板）
Ｃｕ        床上空間（居室）
Ｃｄ        床下空間（物品収納室）
Ｆｒ        床
Ｈｕ        ハッチユニット
【図１】
0003748808.tif 000002
【図２】
0003748808.tif 000003
【図３】
0003748808.tif 000004
【図４】
0003748808.tif 000005
【図５】
0003748808.tif 000006
【図６】
0003748808.tif 000007
【図７】
0003748808.tif 000008
【図８】
0003748808.tif 000009
【図９】
0003748808.tif 000010